(57)【要約】【課題】本発明は、建造物の軒先やマンションのベランダ等に設置可能とされた植栽装置において、プランター（植栽容器）の向きを簡単に変化させることができる植栽装置、植栽容器の提供を目的とした。また、本発明の植栽装置に好適に用いることができる土壌材及び土壌材の調製方法の提供を目的とした。【解決手段】本発明の植栽装置１０は、上下方向に設置可能とされた支柱５０と、植栽される植物４の少なくとも一部を外部へ取り出し可能とされたプランター２０と、支柱５０に対して取り付けられ、支柱５０の周方向Ｒに旋回可能とされた旋回体７０とを有し、プランター２０が、旋回体７０を介して支柱５０に取り付けられることを特徴とする。【選択図】図１
2018186763.tif 000002
【特許請求の範囲】
【請求項１】
上下方向に設置可能とされた軸体と、
植栽される植物の少なくとも一部を外部へ取り出し可能とされた植栽容器と、
前記軸体に対して取り付けられ、前記軸体の周方向に旋回可能とされた旋回体とを有し、
前記植栽容器が、前記旋回体を介して前記軸体に取り付けられることを特徴とする植栽装置。
【請求項２】
前記旋回体が、
前記植栽容器を下方から支持する支持体と、
前記軸体の上下方向において、前記支持体よりも上方において前記植栽容器を保持する保持体とを有することを特徴とする請求項１に記載の植栽装置。
【請求項３】
前記保持体が、前記植栽容器に対して上方から下方に向けて侵入可能とされた第一係止部を備え、
前記植栽容器が、前記第一係止部を侵入させる第一被係止部を備えることを特徴とする請求項２に記載の植栽装置。
【請求項４】
前記第一係止部が、鉤状の形状を有し、前記保持体に対して揺動可能とされたものであり、
前記第一係止部を揺動させることにより、前記第一係止部を前記植栽容器に対して着脱可能であることを特徴とする請求項３に記載の植栽装置。
【請求項５】
前記保持体が、前記植栽容器に対して上方から下方に向けて侵入可能とされた第一係止部を備え、
前記植栽容器が、前記第一係止部を侵入させる第一被係止部を備え、
前記第一係止部を前記第一被係止部に係止させた状態を維持するロック部材を有することを特徴とする請求項２〜４のいずれかに記載の植栽装置。
【請求項６】
前記旋回体が、前記植栽容器を下方から支持する支持体と、前記軸体の上下方向において、前記支持体よりも上方で前記植栽容器を保持する保持体とを有し、
前記支持部が、前記植栽容器に対して下方より上方に向けて侵入可能とされた第二係止部を有することを特徴とする請求項１〜５のいずれかに記載の植栽装置。
【請求項７】
前記軸体が、複数の筒状部を連結部材により軸線方向に連結したものであり、
前記軸体が、前記複数の筒状部の相対位置を軸線方向に変化させることにより、軸線方向の長さを伸縮可能とされたものであることを特徴とする請求項１〜６のいずれかに記載の植栽装置。
【請求項８】
前記軸体の端部には、前記軸体の軸線方向と交差する方向に拡がる台座部を有することを特徴とする請求項１〜７のいずれかに記載の植栽装置。
【請求項９】
前記植栽容器が、
開口を備える箱体であり、内部に土壌材を収容可能とされた本体部と、
前記開口を閉塞可能とする蓋部とを有し、
前記本体部には、前記開口に到達するような隙間として形成される取出部が設けられることを特徴とする請求項１〜８のいずれかに記載の植栽装置。
【請求項１０】
前記取出部が、前記軸体に対して前記植栽容器を取り付けた状態において、前記植栽容器の側面に配置されることを特徴とする請求項９に記載の植栽装置。
【請求項１１】
前記植栽容器が、前記植栽容器の内部に水を導入可能とする給水部と、前記植栽容器の内部から外部へ水を排出可能とする排水部とを備え、
前記植栽容器が前記軸体に取り付けられた状態において、前記給水部が前記排水部よりも上方に配置されることを特徴とする請求項９又は１０に記載の植栽装置。
【請求項１２】
請求項９〜１１に記載の植栽容器に収容される土壌材であって、
保水性を備える多孔体を主成分とする土壌材Ａと、
前記土壌材Ａ以外の土壌成分からなる土壌材Ｂとを有することを特徴とする土壌材。
【請求項１３】
保水性を備える多孔体を主成分とする土壌材Ａと、
前記土壌材Ａ以外の土壌成分からなる土壌材Ｂとを有することを特徴とする土壌材。
【請求項１４】
植栽容器の内部に収容されて用いられる土壌材であって、
前記植栽容器が、給水孔及び排水孔を備え、前記植栽容器が用いられる状態において、前記排水孔が前記給水孔よりも上方に配置されるものであり、
保水性を備える多孔体を主成分とする土壌材Ａと、前記土壌材Ａ以外の土壌成分からなる土壌材Ｂとを混合して調製されるものであることを特徴とする土壌材。
【請求項１５】
保水性を備える多孔体を主成分とする土壌材Ａを水で戻す工程Ａと、
前記土壌材Ａ以外の土壌成分からなる土壌材Ｂと、前記水で戻された土壌材Ａとを混合する工程Ｂとからなることを特徴とする土壌材の調製方法。
【発明の詳細な説明】
【技術分野】
【０００１】
本発明は、植栽に用いられる植栽装置、植栽容器、土壌材及び土壌材の調製方法に関する。
【背景技術】
【０００２】
近年、建造物の壁面や内部で植物を植栽するための装置等、様々な植栽装置が提供されている。また、上下方向に１又は２以上のプランター等の植栽容器を配置して立体的に植物を配置可能とされた下記特許文献１のプランター装置が、本発明の出願人より提供されている。
【先行技術文献】
【特許文献】
【０００３】
【特許文献１】特開２０１６−９６８０３号公報
【発明の概要】
【発明が解決しようとする課題】
【０００４】
特許文献１のプランターは、胴部を押出成形により製造可能とされ、製造効率を向上させてコストの低減を実現している。また、特許文献１のプランターは、限られたスペースを活用して上下方向にプランターを配置可能とされている。
【０００５】
特許文献１のプランターは、上述のように限られたスペースに設置することができる。そのため、特許文献１のプランターは、商業施設や公共施設等に加え、住宅の庭等に設置することが可能となり、個人顧客のニーズが増加した。ここで、本発明の出願人が特許文献１のプランターを提供したところ、住宅等で特許文献１のプランターを使用するにあたり、使用者である顧客から様々な要望が聞かれた。例えば、住宅の窓等所定の位置から植栽された植物を観賞する際に、プランターの向きを簡単に変化させることができれば見た目の変化を楽しめるといった意見や、プランターの向きを変えて植栽された植物に偏りなく日光を照射させたいといった要望が聞かれた。
【０００６】
そこで本発明は、プランター（植栽容器）の向きを簡単に変化させることができる植栽装置、植栽容器、土壌材及び土壌材の調製方法の提供を目的とした。
【課題を解決するための手段】
【０００７】
上述した課題を解決するため提供される本発明の植栽装置は、上下方向に設置可能とされた軸体と、植栽される植物の少なくとも一部を外部へ取り出し可能とされた植栽容器と、前記軸体に対して取り付けられ、前記軸体の周方向に旋回可能とされた旋回体とを有し、前記植栽容器が、前記旋回体を介して前記軸体に取り付けられることを特徴とするものである。
【０００８】
本発明の植栽装置によれば、上下方向に設置された軸体の周方向に植栽容器を旋回させて、植栽容器の向きを簡単に変化させることができる。これにより、本発明の植栽装置は、植栽容器に植栽された植物に対して、偏り無く日光を照射することができる。また、本発明の植栽装置は、使用者が所定の位置から植栽された植物を観賞する場合に、植栽容器の向きを変化させることにより所定の場所から視認される植物の向きを変化させることができる。
【０００９】
ここで、本発明の植栽装置では、植栽容器を旋回させることができるため、軸体に対してしっかりと装着できるよう、対策が講じられることが望ましい。
【００１０】
かかる課題に対応するため本発明の植栽装置は、前記旋回体が、前記植栽容器を下方から支持する支持体と、前記軸体の上下方向において、前記支持体よりも上方において前記植栽容器を保持する保持体とを有することが望ましい。
【００１１】
上述の構成によれば、植栽容器が下方側において支持されると共に、上方側において保持される。そのため、本発明の植栽装置は、植栽容器が上下方向において一方向で支持される場合、例えば植栽容器が単に吊り下げられて下方より上方に向けて支持される場合と比較して、植栽容器をより確実に軸体に保持することができる。
【００１２】
本発明の植栽装置は、前記保持体が、前記植栽容器に対して上方から下方に向けて侵入可能とされた第一係止部を備え、前記植栽容器が、前記第一係止部を侵入させる第一被係止部を備えることが望ましい。
【００１３】
上述の構成によれば、上方から下方に第一係止部を第一被係止部に侵入させ、植栽容器を上方から下方に向けて保持することができる。その結果、本発明の植栽装置は、植栽容器が下方から上方に浮き上がる等の現象が生じるのを抑制し、植栽容器をより一層確実に軸体に保持させることができる。
【００１４】
本発明の植栽装置は、前記第一係止部が、鉤状の形状を有し、前記保持体に対して揺動可能とされたものであり、前記第一係止部を揺動させることにより、前記第一係止部を前記植栽容器に対して着脱可能としてもよい。
【００１５】
上述の構成によれば、鉤状の第一係止部により、植栽容器を軸体に対して上方から下方に向けて引っかけるように保持することができる。そのため、本発明の植栽装置は、より確実に植栽容器の落下を抑制して、安全性を高めることができる。また、本発明の植栽装置は、第一係止部を揺動させる簡単な動作により、第一係止部と第一被係止部とを係止することができる。
【００１６】
本発明の植栽装置は、前記保持体が、前記植栽容器に対して上方から下方に向けて侵入可能とされた第一係止部を備え、前記植栽容器が、前記第一係止部を侵入させる第一被係止部を備え、前記第一係止部を前記第一被係止部に係止させた状態を維持するロック部材を有することが望ましい。
【００１７】
上述の構成によれば、第一係止部と第一被係止部とが係止された状態を、より確実に維持することができる。その結果、本発明の植栽装置は、植栽容器の向きを変化させる際に植栽容器が落下することを抑制して、より安全性を高めることができる。
【００１８】
本発明の植栽装置は、前記旋回体が、前記植栽容器を下方から支持する支持体と、前記軸体の上下方向において、前記支持体よりも上方で前記植栽容器を保持する保持体とを有し、前記支持部が、前記植栽容器に対して下方より上方に向けて侵入可能とされた第二係止部を有することが望ましい。
【００１９】
上述の構成によれば、植栽装置の下方において、より確実に植栽容器を軸体に対して保持することができる。その結果、本発明の植栽装置は、植栽容器の向きを変化させる際に植栽容器が落下することを抑制して、より安全性を高めることができる。
【００２０】
ここで、本発明の植栽装置を設置しようとする場所（設置対象場所）、例えばマンションのベランダ等は、床面又は地面（床面等）から天井までの高さが様々である。そのため、本発明の植栽装置の軸体は、設置対象場所の床面等から天井までの高さと一致するように使用者の所望に応じて長さを調整できることが望ましい。
【００２１】
かかる課題に対応するため本発明の植栽装置は、前記軸体が、複数の筒状部を連結部材により軸線方向に連結したものであり、前記軸体が、前記複数の筒状部の相対位置を軸線方向に変化させることにより、軸線方向の長さを伸縮可能であることが望ましい。
【００２２】
上述の構成によれば、植栽装置の軸体を設置対象場所の上下方向の距離に合わせて伸縮させることができる。これにより、本発明の植栽装置は、マンションのベランダ等、使用者の所望に応じた場所に好適に植栽装置を設置することができる。
【００２３】
本発明の植栽装置は、前記軸体の端部には、前記軸体の軸線方向と交差する方向に拡がる台座部を有することが望ましい。
【００２４】
上述の構成によれば、植栽装置の設置対象場所の設置対象面（地面、床面、あるいは天井等）に対して、設置対象面に沿うように台座部を配置して、軸体を安定して配置することができる。その結果、本発明の植栽装置は、設置対象場所に安定して設置することができる。
【００２５】
本発明の植栽装置は、前記植栽容器が、開口を備える箱体であり、内部に土壌材を収容可能とされた本体部と、前記開口を閉塞可能とする蓋部とを有し、前記本体部には、前記開口に到達するような隙間として形成される取出部が設けられることが望ましい。
【００２６】
本発明の植栽容器によれば、内部に用土等の土壌材を収容させつつ、側面から植物の少なくとも一部を取り出すことができる。また、本発明の植栽容器は、本体部に設けられた取出部を介して、植物の根の部分を植栽容器の内部に収容し、植物の鑑賞対象となる花や葉等を植栽容器の外部に露出させることができる。
【００２７】
本発明の植栽装置は、前記取出部が、前記軸体に対して前記植栽容器を取り付けた状態において、前記植栽容器の側面に配置されることが望ましい。
【００２８】
上述の構成によれば、植栽容器の側面から植物の花や葉等の鑑賞対象部分を露出させ、植栽装置において植物の花等を立体的に配置することができる。
【００２９】
本発明の植栽装置は、前記植栽容器が、前記植栽容器の内部に水を導入可能とする給水部と、前記植栽容器の内部から外部へ水を排出可能とする排水部とを備え、前記植栽容器が前記軸体に取り付けられた状態において、前記給水部が前記排水部よりも上方に配置されることが望ましい。
【００３０】
上述の構成によれば、植栽容器の内部に上方から水を供給しつつ、植栽容器の内部に収容された土壌材の保水力の限度を超えた水を下方から排水させることができる。これにより、本発明の植栽装置は、植栽容器の内部に収容された土壌材の水分を適切に維持することができる。
【００３１】
本発明の土壌材は、植栽容器に収容される土壌材であって、保水性を備える多孔体を主成分とする土壌材Ａと、前記土壌材Ａ以外の土壌成分からなる土壌材Ｂとを有することを特徴とするものである。
【００３２】
本発明の土壌材によれば、植栽容器に収容される土壌材の一部を保水性を備える多孔体とすることで、土壌材を軽量化することができる。また、本発明の土壌材は、保水性を備える多孔体を含むため、より適切な通気性、保水性及び排水性を確保して、植栽容器に好適に用いることができる。
【００３３】
なお、本発明の「土壌材」とは、植物の育成や栽培用として用いられる用土や肥料、水苔等の保水性を備える植物体の多孔体や繊維質の多孔体、あるいはヤシガラ等の植物材料を粉砕したもの等、植物の土壌として用いられるものを意味する。
【００３４】
本発明の土壌材は、保水性を備える多孔体を主成分とする土壌材Ａと、前記土壌材Ａ以外の土壌成分からなる土壌材Ｂとを有することを特徴とするものである。
【００３５】
本発明の土壌材によれば、植栽容器に収容される土壌材の一部を水苔等の保水性を備える多孔体とすることで、土壌材の軽量化を実現することができる。また、本発明の土壌材は、保水性を備える多孔体を含むため、より適切な通気性、保水性及び排水性を確保して、植栽容器に好適に用いることができる。
【００３６】
本発明の土壌材は、植栽容器の内部に収容されて用いられる土壌材であって、前記植栽容器が、給水孔及び排水孔を備え、前記植栽容器が用いられる状態において、前記排水孔が前記給水孔よりも上方に配置されるものであり、保水性を備える多孔体を主成分とする土壌材Ａと、前記土壌材Ａ以外の土壌成分からなる土壌材Ｂとを混合して調製されるものであることを特徴とするものである。
【００３７】
本発明の土壌材によれば、植栽容器に収容される土壌材の一部を水苔等の保水性を備える多孔体とすることで、土壌材の軽量化を実現することができる。また、本発明の土壌材は、水苔等の保水性を備える多孔体を含む土壌材Ａを土壌材Ｂと混合して調製したものであり、水苔等の保水性を備える多孔体が土壌材中に分散された状態で使用される。そのため、本発明の土壌材は、より適切な通気性、保水性及び排水性を確保して、植栽容器に好適に用いることができる。また、本発明の植栽容器は、植栽容器の内部に上方から水を供給しつつ、余分な水は下方から排水させることができる。これにより、植栽容器の内部に収容された土壌材の水分を、さらに適切に維持することができる。
【００３８】
本発明の土壌材の調製方法は、保水性を備える多孔体を主成分とする土壌材Ａを水で戻す工程Ａと、前記土壌材Ａ以外の土壌成分からなる土壌材Ｂと、前記水で戻された土壌材Ａとを混合する工程Ｂとからなることを特徴とするものである。
【００３９】
本発明の調製方法によれば、水苔等の保水性を備える多孔体を土壌材中に分散させた状態で含有させることができる。そのため、本発明の調製方法によれば、適切な通気性、保水性及び排水性を確保することができる土壌材を提供できる。
【発明の効果】
【００４０】
本発明によれば、プランター（植栽容器）の向きを簡単に変化させることができる植栽装置、植栽容器、土壌材及び土壌材の調製方法を提供することができる。
【図面の簡単な説明】
【００４１】
【図１】本発明の植栽装置を示す斜視図である。
【図２】図１の植栽装置を、ベランダに設置した状態を示す概念図である。
【図３】図１の植栽装置のプランターを示す分解斜視図である。
【図４】図３のプランターの本体部を示している。（ａ）は正面板を正面開口領域に配置させる前の状態、（ｂ）は正面板を正面開口領域に配置させた状態である。（ｃ）は図４（ｂ）のＡ−Ａ’断面図である。
【図５】図１の植栽装置の支柱を示す正面図である。
【図６】図５の支柱のジョイントを示す断面図である。
【図７】図１の植栽装置の旋回体を示す斜視図である。
【図８】図６の旋回体の第一係止部の動きを示す断面図である。（ａ）は非係止状態、（ｂ）は係止状態、（ｃ）はロック状態を示している。
【図９】図１の植栽装置の取付状態を示す断面図である。
【発明を実施するための形態】
【００４２】
以下、本発明の具体的な実施形態に係る植栽装置１０、プランター（植栽容器）２０、土壌材１００及び土壌材１００の調製方法について具体的に説明する。
【００４３】
植栽装置１０は、商業施設や住宅等の軒先、あるいはマンションのベランダ２等に設置して植物を植栽するためのものである。
【００４４】
図１に示すとおり、植栽装置１０は、プランター（植栽容器）２０、支柱（軸体）５０、旋回体７０及びロック部材９０を有している。
【００４５】
図２は、マンションのベランダ２に植栽装置１０が設置された状態を示す概念図である。植栽装置１０は、植栽装置１０を設置しようとする場所（設置対象場所）の床面２ａや天井２ｂ等、設置対象場所の上下方向に配される面（設置対象面）に対して支柱５０を上下方向に配置して、ベランダ２に設置可能とされている。また、プランター２０は、土壌材１００（図２では図示を省略）を内部に収容して、植物４を植栽することができる。さらに、植栽装置１０は、旋回体７０を介してプランター２０を支柱５０に取り付け可能とされている。
【００４６】
なお、植栽装置１０は、使用者の所望に応じて１又は２以上のプランター２０を取り付け可能とされている。図２では、１の支柱５０に対して４つのプランター２０が取り付けられた状態の概念図を示している。
【００４７】
図１に示すとおり、プランター（植栽容器）２０は、植物４を植栽するために用いられるものである。プランター２０は、内部に土壌材１００等を収容して、植物４の花や葉等の鑑賞対象となる部分（露出対象部分４ａ）を外部に露出可能とされている。プランター２０は、図３に示すとおり、略扇状の断面形状を有する筒状の外観とされ、本体部２２及び蓋部３２を有する。
【００４８】
図３に示すとおり、本体部２２は、開口２８を備える箱体である。開口２８は、蓋部３２を取り付けることにより閉塞可能とされている。本体部２２は、プランター２０の側面を構成する胴部２４と、プランター２０の底面を構成する底部２６とを有する。なお、本実施形態の底部２６は、後述する蓋部３２と共通する構造を有する部材とされている。
【００４９】
図４（ａ）に示すとおり、胴部２４は、正面視において上下方向に開口する正面開口領域２４ｃが形成されている。また、胴部２４は、正面開口領域２４ｃの略中央に配置される正面板２４ｂと、閉塞片２５とを有する。図４（ｂ）に示すとおり、正面開口領域２４ｃに対して正面板２４ｂを配置させた状態において、胴部２４には、本体部２２の上下方向に延びるスリット（取出部）３０が形成される。図３及び図４（ｂ）に示すとおり、スリット３０は、開口２８に到達する隙間として形成される。また、プランター２０には、スリット３０が複数（本実施形態では２つ）形成される。閉塞片２５は、ゴム等弾性変形可能な樹脂素材で構成され、柔軟性を有する略矩形のシート片である。図３に示すとおり、閉塞片２５は、胴部２４の軸線方向の長さと概ね一致する長さを有している。閉塞片２５は、幅方向の一端が胴部２４の内周面に取り付けられ、他端が自由端とされている（図４（ｃ）参照）。また、閉塞片２５は、スリット３０を閉塞可能とする位置に設けられている。
【００５０】
２つのスリット３０は、正面開口領域２４ｃに対する正面板２４ｂの位置を調整することにより、一方のスリット３０の隙間の幅を拡大して他方のスリット３０の隙間の幅を縮小することができる。また、プランター２０は、胴部２４の正面開口領域２４ｃに対して正面板２４ｂを配置させ、スリット３０を閉塞するように閉塞片２５を配置させることにより、プランター２０の内部に収容された土壌材１００等が漏れ出すことを抑制可能とされている。より具体的には、プランター２０は、スリット３０から植物４の露出対象部分４ａを取り出し可能としつつ、柔軟性を有する閉塞片２５によりスリット３０を閉塞して、スリット３０から土壌材１００が漏れ出すことを抑制可能とされている。
【００５１】
図３に示すとおり、底部２６には、第二被係止部２４ａが設けられている。第二被係止部２４ａは、プランター２０の底部２６から蓋部３２に向けて形成される略矩形の凹みである。第二被係止部２４ａには、後述する凸部（第二係止部）７８が嵌め込まれる。
【００５２】
底部２６には、排水部２７が設けられている。排水部２７は、口部２７ａを備える。また、口部２７ａには、貫通孔２７ｂが形成されている。貫通孔２７ｂは、本体部２２の内部から外部に連通する貫通孔として形成される。プランター２０は、貫通孔２７ｂを通じて、プランター２０の内部から外部へと水を排出させることができる。
【００５３】
蓋部３２は、開口２８を閉塞するプランター２０の蓋部材として設けられている。図３に示すとおり、蓋部３２には、給水部３４及び第一被係止部３６が設けられている。
【００５４】
給水部３４は、プランター２０の上方面に位置するように設けられている。給水部３４は、口部３４ａを備える。図３に示すとおり、口部３４ａには、貫通孔３６ｂが形成されている。口部３４ａは、ホース等の管状部材を取り付けて、貫通孔３６ｂを通じてプランター２０の内部に上方より水を供給することができる。
【００５５】
第一被係止部３６は、蓋部３２の上方面からプランター２０の底面に向けて形成される略矩形の凹みである。第一被係止部３６は、プランター２０を支柱５０に対して取り付ける際に、後述するフック（第一係止部）８８の先端部８８ａを侵入させてプランター２０を上方から下方に向けて位置決めさせる。
【００５６】
支柱（軸体）５０は、植栽装置１０を設置対象場所の設置対象面に対して取り付けて、植栽装置１０を設置対象場所に設置するためのものである。図２に示すとおり、支柱５０は、植栽装置１０の設置対象場所であるベランダ２の設置対象面である床面２ａ及び天井２ｂに亘り、上下方向に配置される。図５に示すとおり、支柱５０は、支柱５０の軸線方向Ｘに延びるポール部５２と、ポール部５２の両端に設けられた台座部５８とを有する。
【００５７】
ポール部５２は、複数のパイプ５４をジョイント（連結部材）５６を介して連結させ、所定の長さを有する軸状部材として構成される。なお、本実施形態では、ポール部５２は、３つのパイプ５４を２つのジョイント５６により連結させ、１つの軸状部材として構成されている。より具体的には、図５及び図６に示すとおり、ポール部５２は、ジョイント５６の一端側にパイプ５４を挿通させ、ジョイント５６の他端側に他のパイプ５４を挿通させて、複数のパイプ５４が連結させた構成とされている。
【００５８】
ジョイント５６は、パイプ５４を連結可能とされたものであれば、いかなるものであってもよい。ジョイント５６は、例えば図６に示すようなものを用いることができる。具体的には、ジョイント５６は、ねじ孔５６ｂが形成された管部５６ａと、ねじ部材５６ｃとを有するものとすることができる。ジョイント５６は、ねじ孔５６ｂに挿通されたねじ部材５６ｃを所定方向に回すと、ねじ部材５６ｃの先端５６ｄがねじ孔５６ｂから管部５６ａの内周面に到達して、さらに管部５６ａの内周面を拡径させる（図６中の矢印参照）。ジョイント５６は、管部５６ａの内周面が拡径されると管部５６ａの外周面からパイプ５４の内周面に対して密着するように内圧が加えられ、複数のパイプ５４を所定位置において連結可能とされている。なお、複数のパイプ５４を連結させる構造は、パイプ５４に対して他のパイプ５４を挿通させ、ねじ等の固定手段により固定させて連結されるものであってもよいし、他の連結手段が用いられるものであってもよい。
【００５９】
台座部５８は、床面２ａや天井２ｂ等、設置対象場所の設置対象面に対して支柱５０の接触面積を拡大させて、支柱５０を固定することができる。
【００６０】
図５に示すとおり、台座部５８は、ポール部５２の軸線方向Ｘの両端に設けられている。また、台座部５８は、軸線方向Ｘと交差する方向に拡がる略円形の形状を有している。台座部５８は、支柱５０を設置対象場所に設置させた状態において、床面２ａ等の設置対象面に沿うように略水平に配置され、ポール部５２を略鉛直の姿勢となるように維持可能とされている。また、台座部５８は、設置対象面に対する支柱５０の接触面積を拡大させることにより、支柱５０をベランダ２等に安定して設置可能としている。
【００６１】
台座部５８には、台座部５８の傾きを調整するための調整具である複数のアジャスター６０が取り付けられている。台座部５８は、複数のアジャスター６０を相互に調整することにより、設置対象面の起伏や高低差を補正して、支柱５０をより安定して設置対象面に設置可能とされている。なお、支柱５０は、設置対象面の起伏や高低差を補正して、設置対象場所に設置するための構造として、自在継手（ユニバーサルジョイント）を有するものとしてもよい。例えば、支柱５０は、ポール部５２と台座部５８との接合部分に自由継手等を用いてポール部５２と台座部５８との接合角度を変化させ、設置対象面の起伏等を補正可能としてもよい。
【００６２】
支柱５０は、複数のパイプ５４の軸線方向Ｘの相対位置を変化させることにより、軸線方向Ｘの長さを伸縮可能とされている。具体的には、支柱５０は、複数のパイプ５４を離間するように配置させてジョイント５６を介して連結させることにより、軸線方向Ｘに伸張可能とされている。また、支柱５０は、複数のパイプ５４を近接するように配置させてジョイント５６を介して連結させることにより、軸線方向Ｘに縮小可能とされている。このように、支柱５０は、軸線方向Ｘの長さを伸縮可能とされている。これにより、植栽装置１０は、支柱５０をベランダ２の床面２ａから天井２ｂまでの距離と略一致するように長さを調整して、床面２ａ及び天井２ｂに亘り支柱５０を突っ張るように配置して固定することができる。
【００６３】
旋回体７０は、プランター２０を支柱５０の周方向Ｒに旋回可能に取り付けるためのものである。図７に示すとおり、旋回体７０は、支柱５０の上下方向に配される一対の円板状の部材であり、下方に配置される円板状の支持体７２と、上方に配置される円板状の保持体８２とを有する。
【００６４】
支持体７２及び保持体８２は、支柱５０を設置対象場所に設置した状態（設置状態）において、支持体７２及び保持体８２が上下方向に配置される。設置状態において、支持体７２は支柱５０の下方に配置され、保持体８２は支持体７２よりも上方に配置される。支持体７２はプランター２０を下方から支持し、保持体８２は支持体７２よりも上方でプランター２０を保持する。すなわち、設置状態において、プランター２０は、支柱５０に対して少なくとも上下方向の２箇所で支持される。また、図７に示すとおり、支持体７２の直径は、保持体８２の直径よりも大きいものとされている。
【００６５】
図７に示すとおり、支持体７２は、フランジ状のフランジ部７４、ベアリング７６及び２つの凸部（第二係止部）７８を有する。支持体７２は、フランジ部７４の略中央に設けられたベアリング７６を介して支柱５０に取り付けられている。そのため、フランジ部７４は、支柱５０に対して旋回可能とされている。凸部７８は、略直方体の外観形状を有している。凸部７８は、第二被係止部２４ａに嵌め込み可能とされている。
【００６６】
凸部７８は、プランター２０を支柱５０に対して上下方向に位置決めしつつ、下方より支持するために設けられている。具体的には、凸部７８は、プランター２０の下方に設けられた第二被係止部２４ａに嵌め込まれ、プランター２０を下方より支持する。設置状態において、プランター２０は、底部２６の一部が支持体７２のフランジ部７４に積載されて下方より支持され、第二被係止部２４ａに凸部７８が嵌め込まれて支持体７２に対して位置決めされる。
【００６７】
図７に示すとおり、保持体８２は、フランジ状のフランジ部８４、ベアリング８６及び２つのフック（第一係止部）８８を有する。保持体８２は、フランジ部８４の略中央に設けられたベアリング８６を介して支柱５０に取り付けられている。そのため、フランジ部８４は、支柱５０に対して旋回可能とされている。フック８８は、鉤状の外観形状を有している。また、フック８８の先端部８８ａは、設置状態において、上方から下方に向けて配置される。
【００６８】
図８に示すとおり、フック（第一係止部）８８は、フランジ部８４に対して揺動可能に取り付けられている。具体的には、図８（ａ）に示すとおり、フック８８は、ピン８８ｂによりフランジ部８４に対して取り付けられている。フック８８は、ピン８８ｂを揺動支点として先端部８８ａを揺動させることができる。植栽装置１０は、フック８８の先端部８８ａをプランター２０の第一被係止部３６に対して侵入させて、プランター２０を上方から下方に向けて保持することができる。また、植栽装置１０は、フック８８の先端部８８ａを下方から上方に向くような姿勢となるように揺動させて、フック８８を第一被係止部３６から取り外すことができる。
【００６９】
フック８８によるプランター２０の保持について、図８を参照しつつさらに説明する。なお、図８（ａ）〜（ｃ）は、プランター２０が支持体７２により下方から上方に向けて支持された状態である。
【００７０】
図８（ａ）に示すとおり、プランター２０を保持体８２により位置決めする場合には、保持体８２とプランター２０の蓋部３２とが隣接するように配置させる。続いて、図８（ｂ）に示すとおり、先端部８８ａが上方から下方へ向かうようにフック８８を揺動させる。これにより、プランター２０の第一被係止部３６に対してフック８８の先端部８８ａが侵入した状態となり、プランター２０は支柱５０の上方において、位置決めして保持された状態となる。
【００７１】
また、図８（ｃ）に示すとおり、先端部８８ａを第一被係止部３６に侵入させ、さらにロック部材９０を第一被係止部３６の隙間を閉塞するように嵌め込む。ロック部材９０を第一被係止部３６に嵌め込むと、フック８８の先端部８８ａが第一被係止部３６に維持され、フック８８の揺動が阻止される。これにより、フック８８と第一被係止部３６との係止状態を維持して、より確実に支柱５０の上方においてプランター２０を保持することができる。
【００７２】
続いて、本発明の土壌材１００について説明する。土壌材１００は、水苔を主成分とする土壌材Ａと、土壌材Ａ以外の土壌成分からなる土壌材Ｂとを混合して調製したものである。
【００７３】
なお、本発明において「土壌材」とは、植物を植栽するための培地として用いられるものである。土壌材の一例として、例えば土や水苔等の用土や、園芸用肥料、これらを混合させたもの等が挙げられる。また、本発明において「土壌材」とは、保水性を有する多孔体や、ヤシガラを粉砕させたもの等、植物を植栽するための培地として用いられるものが含まれる。
【００７４】
本実施形態の土壌材Ａは、保水性を有する多孔体のうち、植物質の水苔を主成分とする土壌材である。水苔は、ミズゴケ科ミズゴケ属の総称である。水苔は、多孔質の植物体であり、毛細管現象を利用して優れた保水力を有する土壌材として用いられる。また、水苔は、水はけ（排水性）と水もち（保水性）のバランスがよく、通気性も備わった優れた土壌材として利用されている。水苔は、土壌材として用いられるまでは、乾燥した状態で取引される。また、水苔は、乾燥した状態から水で戻して、土壌材として用いることができる。
【００７５】
なお、土壌材Ａは、水苔のみにより構成されるものであってもよいし、他の植物、肥料等の土壌材が含まれるものであってもよい。また、土壌材Ａは、水苔以外の多孔体であって、合成繊維等の繊維質のものであってもよい。
【００７６】
土壌材Ｂは、水苔以外の園芸用土を主成分とするものである。土壌材Ｂは、赤玉土、鹿沼土等の用土から成るものであってもよいし、数種類の用土や園芸用肥料を混合させたものであってもよい。本実施形態の土壌材Ｂは、赤玉土、鹿沼土等の土と、ヤシガラを粉砕させたものとを混合させたものである。土壌材Ｂは、ヤシガラの粉砕物を混合させることにより、土のみによる土壌材よりもさらに軽量化されている。
【００７７】
続いて、本発明の土壌材１００を調製する方法について説明を行う。
【００７８】
先ず、工程Ａにおいて、土壌材Ａを水で戻す。具体的には、乾燥した状態の土壌材Ａを、水に浸すか霧をかけながら広げて戻す。また、望ましくは、水を含ませた土壌材Ａを、ビニール袋等に入れて密封して一晩程度寝かせる。これにより、土壌材Ａの芯まで水分が行き渡り、適度な弾力を有する状態となる。
【００７９】
上記の工程Ａに続いて、工程Ｂにおいて、水で戻された土壌材Ａと土壌材Ｂとを混合する。上述の工程Ａ及び工程Ｂにより、土壌材１００が調製される。これにより、土壌材１００の略全体に亘って水苔が分散した状態になり、水苔の毛細管現象により、土壌材１００の略全体において適度な保水力が確保される。また、土のみからなる土壌材と比較して、重量を軽減することができる。
【００８０】
なお、土壌材Ａ及び土壌材Ｂは、植栽しようとする植物の種類に応じて、適切な通気性、保水性、排水性が確保される材料を適宜選択可能である。
【００８１】
続いて、図９を参照しつつ、旋回体７０を介してプランター２０が支柱５０に取り付けられた状態（以下、「取付状態」とも称す）、及びプランター２０に土壌材１００を収容させた状態について説明する。
【００８２】
図９に示すとおり、取付状態において、プランター２０は、支柱５０の上下方向において位置決めされて保持される。具体的には、プランター２０は、支柱５０の上下方向のうち、下方において凸部７８が第二被係止部２４ａに嵌め込まれて、下方から上方に向けて（上方向ｘ１）支持される。また、プランター２０は、支柱５０の上下方向のうち、上方においてフック８８が第一被係止部３６に係止されて、上方から下方に向けて（下方向ｘ２）保持される。すなわち、取付状態において、プランター２０は、支柱５０の上下方向から挟まれるように保持される。そのため、プランター２０に上下方向の力が加えられた場合に、プランター２０が支柱５０から外れることを抑制することができる。また、プランター２０を旋回させようとする場合に、安定してプランター２０を旋回させることができる。
【００８３】
図９に示すとおり、取付状態において、プランター２０に設けられた給水部３４及び排水部２７は、支柱５０の上下方向に配置される。より具体的には、排水部２７は、プランター２０の下方である底面に配置され、給水部３４は、排水部２７よりも上方のプランター２０の上方面に配置される。また、土壌材１００は、上述のとおり、水苔と他の土壌材とを混合させたものであり、優れた保水力及び排水力を有している。そのため、給水部３４からプランター２０の内部に導入された水は、適度に土壌材１００に保持されて、土壌材１００の保水力を超えた水は下方の排水部２７から排出される。これにより、プランター２０に収容された土壌材１００の水分を適切に保持することができる。
【００８４】
続いて、取付状態におけるプランター２０の向きの変化について図面を参照しつつ説明する。図１に示すとおり、取付状態において、プランター２０のスリット（取出部）３０は、上下方向に延びるように配置される。また、植物４の葉や花等の露出対象部分４ａは、スリット３０を介してプランター２０の外部へ露出され、プランター２０の側面に配置される。そのため、図２に示すとおり、植物４の露出対象部分４ａは、使用者がベランダ２の窓２ｃ等から植栽された植物４を視認する場合に視認しやすい位置に配置される。
【００８５】
なお、図２に示す状態は、プランター２０に植栽された植物４の露出対象部分４ａを、ベランダ２の窓２ｃと向かい合うように配置させた状態である。植栽装置１０は、図２に示す状態から、プランター２０を周方向Ｒに約１８０度旋回させて、プランター２０を手すり２ｄと向かい合うように方向を変化させることができる。これにより、植栽装置１０は、１つのプランター２０に植栽された植物４の露出対象部分４ａを、窓２ｃ等の所定位置からの視認に適した向きから、手すり２ｄと向かい合うように日光の照射に適した向きとなるよう変化させることができる。
【００８６】
さらに、旋回体７０に対して複数のプランター２０，２０’を取り付けた場合には、プランター２０，２０’を旋回させて、プランター２０，２０’の側面の向きを適宜変化させることができる。このように、植栽装置１０は、複数のプランター２０，２０’を有する場合であっても、各プランター２０，２０’に対して偏りなく日光を照射させることができる。
【００８７】
ここで、１つのプランター２０及び内部に収容された土壌材１００の重量を合算すると、数キログラム〜数十キログラム程度の重量となる。さらに、図２に示すように、１つの旋回体７０に対して２のプランター２０，２０’が取り付けられた場合には、１つの旋回体７０に取り付けられたプランター２０，２０’の重量は、数十キログラムにも及ぶこととなる。本実施形態の植栽装置１０は、旋回体７０がベアリング７６，８６を介して取り付けられ、旋回体７０は略鉛直に配置された支柱５０の周方向Ｒに沿って旋回可能とされている。すなわち、旋回体７０は、略水平面に沿うように旋回可能とされ、さらにベアリング７６，８６により旋回させる摩擦が低減される。そのため、植栽装置１０は、プランター２０，２０’の重量が大きなものである場合にも、旋回体７０を簡単に旋回させることができる。
【００８８】
以上、本発明の植栽装置、植栽容器、土壌材及び土壌材の調製方法について説明したが、本発明の植栽装置は上述の実施形態に限定されない。
【００８９】
上述した実施形態では、旋回体７０は、支持体７２及び保持体８２を別部材とした例を示したが、旋回体７０は支持体７２及び保持体８２を連結させたものであってもよいし、一体的に構成されたものであってもよい。
【００９０】
また、上述した実施形態では、プランター２０のスリット（取出部）３０を取付状態において上下方向（縦方向）に配置されるものとした例を示したが、スリット（取出部）３０を横方向に配置されるものとしてもよいし、あるいはスリット（取出部）を略矩形や円形等の形状を有するものとしてもよい。
【００９１】
さらに、上述した実施形態では、支持体７２に凸部７８を設けて凸部７８にプランター２０を係止させ、支持体７２の上方面にプランター２０の一部を積載させる構成としたが、本発明の植栽装置はこれに限定されない。例えば、本発明の植栽装置は、支持体７２にフック等の部材を設けて、フックにプランター２０を係止させ、プランター２０を下方より支持するものであってもよい。
【００９２】
さらに、上述した実施形態では、保持体８２に設けられたフック（第一係止部）８８をプランター２０に対して上方から下方に向けて差し込むように係止させる構成とした例を示したが、本発明の植栽装置はこれに限定されない。例えば、蓋部３２を保持体８２に対して固定させる構造を設けて、プランター２０を上方から下方に向けて保持可能としてもよい。
【００９３】
さらに、フック（第一係止部）８８と第一被係止部３６との係止状態をロックする部材として、上述した実施形態において、ロック部材９０が第一被係止部３６を閉塞するように嵌め込む構成としたが、係止状態をロックする構造として他の構造を用いてもよい。例えば、フック８８を第一被係止部３６に係止させた状態において、フック８８の保持体８２に対する揺動を阻止するような構造を設けてもよい。
【００９４】
本発明の植栽装置１０は、使用者の所望により、プランター（植栽容器）２０を支柱５０に対して取り付ける個数及び位置を選択可能である。
【産業上の利用可能性】
【００９５】
本発明の植栽装置、植栽容器、土壌材及び土壌材の調製方法は、植物の植栽において好適に利用することができる。
【符号の説明】
【００９６】
４            植物
１０          植栽装置
２０，２０’  プランター（植栽容器）
２２          本体部
２４ａ        第二被係止部
２７          排水部
２８          開口
３０          スリット（取出部）
３４          給水部
３６          第一被係止部
５０          支柱（軸体）
５４          パイプ（筒状部）
５６          ジョイント（連結部材）
５８          台座部
７０          旋回体
７２          支持体
７８          凸部（第一係止部）
８２          保持体
８８          フック（第二被係止部）
９０          ロック部材
１００        土壌材
Ａ            土壌材
Ｂ            土壌材
Ｒ            周方向
Ｘ            軸線方向
ｘ１          上方向
ｘ２          下方向
【図１】
2018186763.tif 000003
【図２】
2018186763.tif 000004
【図３】
2018186763.tif 000005
【図４】
2018186763.tif 000006
【図５】
2018186763.tif 000007
【図６】
2018186763.tif 000008
【図７】
2018186763.tif 000009
【図８】
2018186763.tif 000010
【図９】
2018186763.tif 000011